(57)【要約】      （修正有）【課題】底ふたのロックの状態を確実に行うことができ、さらに、ロックの状態から確実に解除することができるようにした撒き餌かご装置を提供する。【解決手段】底ふた４０のロックを確実に行うために、開口４００を閉じた状態で底ふた４０を止める第一止め機構５００と、その第一止め機構５００とは別に、開口４００を閉じた状態で底ふた４０を止める第二の止め機構６００とを備える。第一止め機構５００の主体は金属製の蝶番である。第二の止め機構６００のロックを行うのが、ロックアーム３０である。このロックアーム３０は底ふたを止めるだけではなく、センターハンマーロッド１０と共に動いて、第二の止め機構６００のロックの解除を行う。【選択図】図１
0003169635.tif 000002
【実用新案登録請求の範囲】
【請求項１】
カゴ本体を吊るしている中央のロッドに重りを設け、当該ロッドが下方に動くと、当該カゴ本体の側面に縦溝を設けた箇所に、リンク連結されているアームに当り、当該アームが跳ね上がり、当該アームの先端部のフック部が、当該カゴ本体の底ふたの止め金ロックを外し、当該底ふたのロック状態を解除としたところを特徴とする撤き餌カゴ装置。
【請求項２】
カゴ本体を吊るしている中央のロッドに円柱のプレートを設け、当該ロッドが下方に動くと、当該カゴ本体の側面を挟んでカシメ止めされた内側のアームに当り、当該アームが下方に動くと、当該カゴ本体の側面を挟んでカシメ止めされた外側のアームが同時に動き、当該アームの先端部のフック部が、当該カゴ本体の底ふたの止め金ロックを外し、当該底ふたのロック状態を解除としたところを特徴とする撒き餌カゴ装置。
【考案の詳細な説明】
【技術分野】
【０００１】  この考案は、開閉可能な底ふたを開くことにより、開口を通して撒き餌さおよびつき餌を海中または水中に放出する撒き餌さカゴに関し、特に開口を確実に閉鎖させる底ふたを固定、解除する技術に関する。
【背景技術】
【０００２】  カゴ投げ釣りは、投げ込むポイントまでの距離が数十メーターから場合によっては百メーターを越える。この飛距離を確保するには、カゴの形状は重要である。同時に、一般的にカゴをより高く投げる必要がある。カゴは海面から五メーターから二十メーターに上がり、これらの頂点から海面に向かって放物線を描き落下する。このため、カゴが海面から受ける衝撃は大きい。また、カゴが海面に着水するときの入水角度も、カゴの向きも一定ではなく、場合によっては入水角度が９０度になることもある。したがって、比較的近いポイントでも、カゴが受ける衝撃は大きくなる。この衝撃からカゴの役割を達成するには、カゴ本体の上部と下部の揺動部と止め側部の機構が大変重要である。この揺動部、または、止め側部にばね力等による部材でリンクすると、衝撃が大きいとき、または入水角度により、カゴ本体の上部と下部の歪み（首振り）が生じて、着水と同時に底ふたが開き、意図した底ふたの動きを阻害することになる。
これらのことから一般的に汎用されているカゴの形状は先端部に鋭角の錘とし、錘の軸にステンレスの棒を固定させ、その軸に上下に動くカゴを上部と下部に分離させて組み込んである。これにより、カゴ上下の歪みと、海面から受ける衝撃と、飛行中の安定（カゴの重心をなるべく先端部に置くこと）を加味した形状としている。
【先行技術文献】
【特許文献】
【０００３】
【特許文献１】特許公開２００６−１５８２７５
【特許文献２】特許公開２００８−３０１７６２
【０００４】  特許文献１と特許文献２に記載された撒き餌さ装置は共に、底ふたの揺動部と止め側（ロック部）の部材を、ステンレス鋼線、ワイヤー又はピアノ線のような弾性変形可能な線状材を折り曲げて形成されたものであり、その弾性変形可能力（ばね力）を底ふたに作用させ、カゴ本体と底ふたのロックを確保している。特許文献１と特許文献２ともにカゴ本体と底ふたのロックの解除の方法は、カゴ本体が着水したときの衝撃を底ふたに受けて、カゴ本体と底ふたのロック状態を解除させている。したがって、底ふたに受ける条件が異なると、カゴ本体と底ふたのロック解除が不安定となることが問題である。
【考案の概要】
【考案が解決しようとする課題】
【０００５】  この考案は、カゴの底ふたの揺動部と止め側にばね力を用いず、カゴが水中に入るまでは確実に底ふたを閉じておくことができ、しかも、着水した後に底ふたを確実に開くことができる、撒き餌技術を提供することを目的とする。同時に船釣り用にも適用することができる技術を提供することを目的とする。
【課題を解決するための手段】
【０００６】  この考案の基本的な考え方は、カゴが水面に達するまでの第１段階では、底ふたを確実に閉じた状態を維持した上、カゴが水面に達した時点以降の第２段階には、底ふたを確実に開くことができる状態にすることにある。【０００７】  この考案を適用する撒き餌カゴ装置は、カゴ（かご本体）が撒き餌およびつき餌を放出する開口をもち、その開口を底ふたが開閉可能にふさいでいる。底ふたは径方向の一端の第１端部が揺動支点側となり、その揺動支点側とは径方向反対の第２端部が止め側になっている。【０００８】  この考案では、金属部材のセンターハンマーロッドを縦軸方向の下方に働く力を与える構造である。縦軸方向に働く力（カゴ本体の着水時の衝突状況に起きる力）によって得る。その働く力を利用するため、着水時の異なる条件下に於いても、底ふたのロック状態を確実かつ安定した解除ができる。【０００９】  カゴの大半をプラスチック製とし、屋根上部の穴と側面の縦溝のからカゴ本体の内部に残留する空気を海中に放出させ、その後は海水の入水口とさせている。また、底ふたの第１端部の穴も入水口としている。このことにより、カゴ本体の着水後の沈み込む下降移動を安定させている。【００１０】  そのような第１端部の揺動支点側に対して、径方向反対の第２端部の止め側部は、底ふたの横方向に固定されているコ字型のステンレス製の止め金ロックピンが、カゴ本体にリンクされている、ロックアームの先端部のフックの凹み部がはまり合う状態とし、ロックアームを押すことによって、底ふたをロック状態にすることができる。【００１１】  この考案の撒き餌カゴ装置は、カゴ本体のロックアームのフック部がコ字型の止め金ロックピンが凹部にはまり合った状態で海に投げ入れるので、それが水面に達するまでは、底ふたは確実に閉じた状態を保つ。そして、それが水面に達し、着水と同時にそれまで、一体として動いていたセンターハンマーロッド１０と撒き餌カゴ装置１０００（センターハンマーロッド１０を除く。）は個別の動きとなる。撒き餌カゴ装置１０００は海面から抵抗を受けて、その速度を落とし海中に突入する。一方、センターハンマーロッド１０は海面からの抵抗を受けず、その速度を維持しようとする。したがって、センターハンマーロッド１０は、カゴ本体２０の内部天井に支えられていた力から開放され、縦軸方向の下方に動く力が働く。この縦軸方向に働く力がセンターヘッドロッドを下方に押し下げ、ロックアームが跳ね上がり、ロックアームのフック部が止め金ロックピンから外れ、底ふたをカゴ本体から簡単かつ確実に外すことができる。したがって、水面に着水するときのカゴ本体に受ける衝撃力、入水角度およびカゴ本体の向きにより、カゴ本体に受ける条件が異なった状態に於いても安定した、カゴ本体と底ふたが閉じた状態からの解除が可能となり、狙いとする水深に撒き餌を放出することができる。
【第１の実施例】
【００１２】  図１は、投げ釣りに適した撤き餌カゴ装置の第１の実施例を示す断面図である。撒き餌カゴ装置１０００は、大半がプラスチックであり、撒き餌を入れるための内部空間を区画するカゴ本体２０と、そのカゴ本体２０の下部に位置する底ふた部材４０とを備える。カゴ本体２０には、円筒形状の側壁２２と、その側壁の上方に円錐形状の屋根２４とがある。屋根２４の中央に、組み込まれたセンターハンマーロッド１０がある。センターハンマーロッド１０上部にストッパー部材１０１がある。センターハンマーロッド１０の上は、Ｔ形状の天秤１１０を間にして道糸を連結するための連結部である。
【００１３】  カゴ本体２０の側壁２２の底部に開口４００がある。その開口４００を被うものが、先端が球面形状した底ふた部材４０である。底ふた部材４０は、開口４００を閉じることによって、撒き餌をカゴ本体２０の内部に閉じ込め、また、開口４００を開放することによって、カゴ本体２０の内部の撒き餌が開口４００を通して海中または水中に放出する。撤き餌カゴ装置１０００では、カゴ本体２０の底部の開口４００が、撒き餌およびつき餌を放出するための出口と、撒き餌、つき餌を入れるための入口とを兼ねている。なお、底ふた部材４０の内部に、鉛を溶かし込んで一体化させ重りとしての機能をもたせている。また、底ふた部材４０の先端部４０１は軟質の部材を用いることにより、不備の事態に備えている。例えば、かご本体が人や物品に衝突した場合の安全性を確保している。
【００１４】  開口４００を開閉可能な底ふた部材４０は、開口４００の径方向の一端の第１端部５００が揺動支点側となり、底ふた部材４０の自重で開かせることができる。その揺動支点側とは径方向反対の第２端部６００が止め側になっている。一部のカゴには揺動支点をカゴ本体の外側壁に構成されており、飛行および着水さらに海中の下降の抵抗となっている。しかし、この考案の撤き餌カゴ装置１０００では、揺動支点をカゴ本体２０の内側壁に固定された軸受けステー部材５０と、底ふた部材４０をリンク構成している。それにより、カゴ本体２０の飛行および着水さらに海中の下降時の安定性を高めている。
【００１５】  第１端部５００の揺動側は、軸受けステー部材５０をカゴ本体２０の側壁２２の内面にビス等により固定する。この軸受けステー部材５０に開けた径１．４ミリに、底ふた部材４０上部に、軸受けステー部材５０の幅と同等の深みを入れ、深みの中央部に径方向に軸受けピン５０１を圧入固定する。この底ふた部材４０の軸受けピン５０１を軸受けステー部材５０にリンク構成している。この軸受けステー部材５０と軸受けピン５０１のリンク部が揺動支点となり、底ふた部材４０の自重で開かせることができる。
【００１６】  第２端部の止め側６００は、底ふた部材４０の外部に固定されている、止め金ロックピン６０が、カゴ本体２０の側壁２２の縦溝２００に挟み込まれている、Ｌ字型のロックアーム３０の先端部のフック部３０２の凹み部にかみ合わされている。止め金ロックピン６０は１ミリのステンレスの棒であり、底ふた部材４０に横方向に圧入固定されている。また、ロックさせるときは、ロックアームを指で軽く押す程度の抵抗を持たせている。
【００１７】  カゴ本体２０の円錐形状と円筒形状との境目に、径方向にロックアーム軸ピン３０１を圧入固定する。このロックアーム軸ピン３０１にＬ字型ロックアーム３０の穴にリンクされている。また、Ｌ字型ロックアーム３０はカゴ本体２０の側壁２２の縦溝２００に挟み込まれている。すなわち、Ｌ字型の短い部分をカゴ本体の上部内部に、長い部分のフック部がカゴ本体の下部に位置している。この機構により、ロックアーム３０が底ふた部材４０の開閉のコントロールをしている。
【００１８】  図２Ａ〜２Ｄは、図１の撒き餌カゴ装置１０００の作動を順次示す断面図である。図２Ａは、撒き餌とつき餌をカゴ本体２０の内部に入れ、底ふた部材４０を閉じた状態を示している。この状態において、底ふた部材４０に固定されている止め金ロックピン６０は、ロックアーム３０の先端部のフック部３０２に凹み部にかみ合わされている。また、カゴ本体２０の中央に、組み込まれたセンターハンマーロッド１０は、カゴ本体２０の内部天井に支えられている。そのような状態で撒き餌カゴ装置１０００を海に向かって投げ込むので、投げ込む前に地表面の接触、投げ込む時の遠心力または振動等による衝撃から底ふた部材４０が開いてしまうことを阻止している。したがって、撒き餌を失うことはない。
【００１９】  図２Ｂは、撒き餌カゴ装置１０００が海面に着水した直後の状態を示している。着水と同時にそれまで、一体として動いていたセンターハンマーロッド１０と撒き餌カゴ装置１０００（センターハンマーロッド１０を除く。）は個別の動きとなる。撒き餌カゴ装置１０００は海面から抵抗を受けて、その速度を落とし海中に突入する。一方、センターハンマーロッド１０は海面からの抵抗を受けず、その速度を維持しようとする。したがって、センターハンマーロッド１０は、カゴ本体２０の内部天井に支えられていた力から開放され、縦軸方向の下方に動く力が働く。撒き餌カゴ装置１０００は海面に衝突の衝撃を受けるとセンターハンマーロッド１０が下方に動く力が働き、センターハンマーヘッド部１０２がロックアーム３０の受け部３０３に力が伝わり、ロックアーム軸ピン３０１が揺動支点となり、ロックアーム３０を跳ね上げさせ、ロックアーム先端部のフック部３０２が止め金ロックピン６０から外れ、ロック状態が解除された状態を示す。センターハンマーロッド１０のストッパー部材１０１が必要以上に軸方向の下方の動きを制限している。
【００２０】  図２Ｃは、撒き餌カゴ装置１０００が着水後の、海中を下降中の状態を示している。下降中はセンターハンマーロッド１０がカゴ本体２０の内部天井に支えられる。このとき、底ふた部材４０にＡ方向からの水圧を受けて、開口部４００は閉じている。また、ロックアーム３０もＡ方向からの水圧を受けて跳ね上がっている状態を示す。
【００２１】  図２Ｄは、撤き餌カゴ装置１０００が狙いとする水深に達した状態を示している。道糸に通された浮き部材が浮き止め糸によって固定されると、浮き部材の浮力により、撤き餌カゴ装置１０００が止まり、図２ＣのＡ方向からの水圧が無くなり、底ふた部材４０は軸受けピン５０１のリンク部が揺動支点となり、自重の力が働き開いた状態を示す。この考案の撒き餌カゴ装置１０００では、釣竿をあおる必要がない。
【第２の実施例】
【００２２】  図３は、船釣りに適用した撒き餌カゴ装置の第２の実施例を示す断面図である。撒き餌カゴ装置２０００は、多くの部分が第１の実施例と同様であるので、共通する構成部分については、同一の符号を付ける。第１の実施例との相違点は、カゴ本体２０の屋根２４の中央に、組み込まれたセンターロッド１０Ａの形状、Ｉ字型サイドロックアーム３０Ａ、および付属部材の追加とその機構、底ふた部材４０Ａの形状および止め金ロックピン６０Ａの形状と取り付け方である。
【００２３】  撒き餌カゴ装置２０００は、大半がプラスチックであり、撒き餌を入れるための内部空間を区画するカゴ本体２０と、そのカゴ本体２０の底部に位置する底ふた部材４０Ａとを備える。カゴ本体２０には、円筒形状の側壁２２と、その側壁の上方に円錐形状の屋根２４とがある、屋根２４は複数の穴を設けている。屋根２４の中央に、組み込まれたセンターロッド１０Ａの下部に幅７ミリの円形プレート１０２Ａが取り付けられている。円形プレートの外周面に縦方向に細かい溝を施している。また、カゴ本体２０の、円筒形状の側壁２２にサイドロックアーム３０Ａが縦に位置している。
【００２４】  底ふた部材４０Ａは円錐形状とし、鉛を内部に溶かし込んで一体化させ、重りとしての機能をもたせている。第２端部の止め側６００は、底ふた部材４０Ａの第１端部径の反対方向に縦に止め金ロックピン６０Ａを縦に圧入固定されている。止め金ロックピン６０Ａとのサイドロックアーム３０Ａの先端部のフック部３０２Ａの凹み部にかみ合わすことによって、底ふた部材４０Ａの開閉をコントロールしている。なお、第１端部は第１の実施例と同じのため省略する。
【００２５】  カゴ本体２０の円筒形状の側面２２に、サイドロックアーム３０Ａと補助アーム３０Ｂが側面２２を挟んでカシメ止めされている。このカシメ止めは、側面２２とサイドロックアーム３０Ａと補助アーム３０Ｂの３点を固定するのではなく、サイドロックアーム３０Ａと補助アーム３０Ｂを固定している。カシメ止め部は、ガタ無く、指の力で動く程度としている。したがって、補助アーム３０Ｂとサイドロックアーム３０Ａの動きは連動した動きをする。
【００２６】  サイドロックアーム３０Ａが振り動くと、サイドロックアーム３０Ａの先端部のフック部３０２Ａの凹み部にロックされていた、底ふた部材４０Ａと固定されている、止め金ロックピン６０Ａが外れ、ロック状態から解除され、底ふた部材４０Ａが開く。
【００２７】  図４Ａ〜４Ｂは、図３の撒き餌過カゴ装置２０００の作動を順次示す断面図である。図４Ａは、図３の撒き餌過カゴ装置２０００のＡＣ方向から見た断面図である。撒き餌とつき餌をカゴ本体２０の内部に入れ、底ふた部材４０Ａを閉じた状態を示している。この状態において、底ふた部材４０Ａに固定されている止め金ロックピン６０Ａは、サイドロックアーム３０Ａの先端部のフック部３０２Ａに凹み部にかみ合わされている。また、センターロッド１０Ａの円柱プレート１０２Ａの外壁面と、カゴ本体２０の内部の側面に支えられている。そのような状態で撒き餌カゴ装置２０００は吊らされた状態で船上から海に入れられる。したがって、底ふた部材４０Ａが開いてしまうことはない。
【００２８】  図４Ｂは、撒き餌カゴ装置２０００が、狙いとする水深に達し、釣竿をあおった状態を示している。撒き餌カゴ装置２０００は、釣竿をあおることによって、道糸から引き上げられ、海中を上下に動く。この上下の動きの振動と、屋根２４に開けられた穴から入る水流がセンターロッド１０Ａの円柱プレート１０２Ａに受けて下方に動き、補助アーム３０Ｂに当たり押し下げられ、サイドロックアーム３０Ａが振り動き、フック部３０２Ａと、底ふた部材４０Ａのロック状態から解除することができる。
【００２９】  これにより、撤き餌カゴ装置２０００のサイドロックアーム３０Ａの先端部のフック部３０２Ａと、底ふた部材４０Ａの止め金ロックピン６０Ａから外れ、底ふた部材４０Ａの軸受けピン５０１が揺動支点となり、開口４００が開いた状態を示している。この考案の撒き餌カゴ装置２０００では、カゴ本体の内部側面とセンターロッドの円柱プレート外周の溝のある面で支えられているので、動きが滑らかになり、比較的弱い力で釣竿をあおることで底ふた部材４０Ａを開けることができる。
【第３の実施例】
【００３０】  図５は、撒き餌カゴ装置１０００の図１のＡＢ方向からの、底ふた部材の開閉の動きを制御させるための部分的な断面図である。第１の実施例の底ふたの開きは、底ふたの重さと水圧とのバランスによって行われてい。したがって、底ふたを重くすると底ふたの開きが早まる傾向があった。より確実にかつ狙いとする水深に到着したときに底ふたを開かせるために、第１端部の軸受け部に波型の金属またはプラスチック部材のワッシャー５０５を組み込ませて、底ふたの開閉をやや重くさせている。なお、多くの部分と動きが第１の実施例と同様であるので省略する。
【第４の実施例】
【００３１】  図６は、撤き餌カゴ装置１０００の円柱側面の形状を曲面にした断面図の一部である。この第４の実施例は、カゴ本体の円柱側面の形状と大きさは異なるが、多くの部分が第１の実施例と同じであるので、共通する構成部分については、同一の符号を付ける。第１の実施例との相違点は、かご本体２０の形状をタマゴ型に施した点および、ロックアームの形状を上部側面の曲面に合わせたものである。
【００３２】  この第４の実施例はカゴ本体の形状をタマゴ型にすることで、狙いとする水深において、撤き餌さが放出しやすくしたことである。内部空間の上部が狭く、開口部に向かって径を広くすることで、撒き餌が入れやすく、放出しやすくしたものである。一般的に底ふた式の遠投カゴは、撤き餌さを短時間に放出させることが求められている。
【図面の簡単な説明】
【００３３】
【図１】この考案の第１の実施例を示す断面図である。
【図２Ａ】ロック状態を示す断面図である。
【図２Ｂ】着水時にロックアームが跳ね上がった状態を示す断面図である。
【図２Ｃ】ロック状態を解除し、海中を下降している状態を示す断面図である。
【図２Ｄ】底ふたが開いた状態を示す断面図である。
【図３】この考案の第２の実施例を示す断面図である。
【図４Ａ】図３のＡＢ方向からのロック状態を示す断面図である。
【図４Ｂ】ロック状態が解除し、底ふたが開いた状態を示す断面図である。
【図５】この考案の第３の実施例を示す断面図である。
【図６】この考案の第４の実施例を示す断面図である。
【符号の説明】
【００３４】１０００  撒き餌さカゴ装置（第１の実施例）
１０      センターハンマーロッド
２０      カゴ本体
３０      ロックアーム
４０      底ふた
５０      軸受けステー
６０      止め金ロックピン
１０１    ストッパー
３０１    ロックアーム軸ピン
４０１    クッション
５０１    軸受けピン
２２      屋根部
２４      側面部
１０２    ハンマーヘッド部
２００    縦溝部
３０２    ロックアームフック部
３０３    ハンマーヘッド受け部
４００    開口部
５００    底ふた連結部
６００    止め金連結部【００３５】２０００  撒き餌さカゴ装置（第の２実施例）
１０Ａ    センターロッド
２０      カゴ本体
３０Ａ    サイドロックアーム
３０Ｂ    補助アーム
４０Ａ    底ふた
５０      軸受けステー
６０Ａ    止め金ロックピン
５０１    軸受けピン
２２      屋根部
２４      側面部
１０２Ａ  センターロッドプレート部
３０２Ａ  サイドロックアームフック部
３０３    センターロッドプレート受け部
４００    開口部
５００    底ふた連結部
６００    止め金連結部【００３６】５０５    ウェーブワッシャー（第の３実施例）【００３７】２０Ｃ    カゴ本体（第の４実施例）
３０Ｃ    ロックアーム
４０Ｃ    底ふた
【図１】
0003169635.tif 000003
【図２Ａ】
0003169635.tif 000004
【図２Ｂ】
0003169635.tif 000005
【図２Ｃ】
0003169635.tif 000006
【図２Ｄ】
0003169635.tif 000007
【図３】
0003169635.tif 000008
【図４Ａ】
0003169635.tif 000009
【図４Ｂ】
0003169635.tif 000010
【図５】
0003169635.tif 000011
【図６】
0003169635.tif 000012